(57)【要約】【課題】識別情報を記憶したＩＣタグを装置のいずれかの部材に設け、ＩＣタグと非接触で通信を行うことにより部材の状態を監視し、その監視の開始を指示することができる監視手段を備えた装置を提供する。【解決手段】監視を行いたい場所、例えばパチンコ機１における大入賞口１６の開閉扉やパチンコ機の制御を行う基板を収納しているケースの蓋、本体枠１１０、前面枠１１１等に監視用ＩＣタグ８６を備え付ける。パチンコ機１の開閉を行う鍵１２１には開始用ＩＣタグ１２６が備えられており、鍵１２１が鍵穴１２０に挿入されると、通信が正常に行われている監視用ＩＣタグ８６についての開始フラグが「ＯＮ」とされて監視が開始される。そして、監視用ＩＣタグ８６との通信に異常が発生すると、異常の発生日時や異常の内容等の監視情報がＲ／Ｗ基板３１に記憶される。【選択図】  図２
2004351018.tif 000002
【特許請求の範囲】
【請求項１】
識別情報を記憶したＩＣタグを装置のいずれかの部材に設け、当該ＩＣタグと非接触で通信を行うことにより前記部材の状態を監視する監視手段を備えた装置であって、
前記監視手段は、
電源が供給される間、前記ＩＣタグと非接触で通信を行う通信手段と、
当該通信手段による通信の通信結果が正常であるか否かを判断する通信結果判断手段と、
監視を開始させるための開始用ＩＣタグとして前記ＩＣタグを備え、当該装置から取り外し可能、携帯可能な認証部材と、
前記ＩＣタグの中、前記開始用ＩＣタグ以外のＩＣタグと通信を行い、通信結果判断手段により、正常でないと判断された場合に、前記通信結果に関する情報を監視情報として記憶する監視情報記憶手段と、
前記開始用ＩＣタグと通信を行い、前記通信結果判断手段により正常と判断さた場合に、前記監視情報記憶手段に前記監視情報を記憶可能な記憶可能状態とする記憶制御手段と
を備えたことを特徴とする監視手段を備えた装置。
【請求項２】
前記通信結果が正常である場合に、正常であることを報知する通信状態報知手段を備えたことを特徴とする請求項１に記載の監視手段を備えた装置。
【請求項３】
前記記憶可能状態であることを報知する記憶状態報知手段を備えたことを特徴とする請求項１又は２に記載の監視手段を備えた装置。
【請求項４】
前記通信結果に関する情報は、前記装置の状態の変化が発生した日付、時刻、通信結果及び前記ＩＣタグが備えられている位置を特定する位置特定符号の少なくとも１つを含む履歴データであることを特徴とする請求項１乃至３のいずれかに記載の監視手段を備えた装置。
【請求項５】
前記装置の状態は、前記装置の前記ＩＣタグが備えられている部材の存否であることを特徴とする請求項１乃至４のいずれかに記載の監視手段を備えた装置。
【請求項６】
前記通信結果判断手段は、前記通信手段による通信が行えない場合、または、前記通信手段により通信を行った際に、通信が行われたＩＣタグの記憶している識別情報と通信を行う予定であったＩＣタグの識別情報とが異なっている場合に、正常でないと判断することを特徴とする請求項１乃至５のいずれかに記載の監視手段を備えた装置。
【請求項７】
前記装置は遊技機であることを特徴とする請求項１乃至６のいずれかに記載の監視手段を備えた装置。
【請求項８】
前記遊技機は、
当該遊技機を設置する遊技機設置台に前記遊技機を固定するための機枠と、
前記遊技機の本体を前記機枠に設置するための本体枠と、
遊技球が流下する遊技領域を保護するための前面枠と、
鍵と錠とで構成され、前記機枠と前記本体枠、及び前記本体枠と前記前面枠とを施錠する施錠装置と
を備え、
前記認証部材は前記鍵に備えられていることを特徴とする請求項７に記載の装置。
【発明の詳細な説明】
【０００１】
【発明の属する技術分野】
本発明は、監視手段を備えた装置に関し、詳細には、識別情報を記憶したＩＣタグを装置のいずれかの部材に設け、当該ＩＣタグと非接触で通信を行うことにより前記部材の状態を監視する監視手段を備えた装置に関する。
【０００２】
【従来の技術】
従来、所定の動作を行う装置の一種である遊技機のうちパチンコ機においては、遊技者が不当に遊技球を獲得する不正行為が後を絶たず、種々の防止策が施されている。特に、遊技機の制御を司る制御基板の不正改造、例えば、不正ＲＯＭへの交換を防止するために、制御基板を収納する基板ボックスには、様々な工夫が施されている。例えば、基板ボックスに封印シールを設けたり、また、制御基板に触われないように、基板ボックスを閉じるかしめ方向にのみ回転する封印ビスによって、基板ボックスの開放を困難にしているものがある（例えば、特許文献１参照）。さらに、可動接点を用いて基板ボックスの開閉を検出して、その検出信号を記憶して、発光ダイオードにより報知するようにしているものもある（例えば、特許文献２参照）。また、基板ボックスの表面にＩＣタグを貼着し、ＩＤ読取装置からの送信要求に応じてＩＣタグからその内部に記憶された識別情報をＩＤ読取装置に送信させ、識別情報を確認することにより、基板ボックスごと制御基板がすり替えられたか否かを判断するようになっているものもある（例えば、特許文献３参照）。
【０００３】
【特許文献１】
特開平１０−２１６１１４１号公報
【特許文献２】
特開平９−３４３６５号公報
【特許文献３】
特開２０００−２８８２１８号公報
【０００４】
しかし、封印シールを用いるものでは、基板ボックスを開放して不正ＲＯＭへの交換が終了した後に、精巧な偽造封印シールを張られてしまうと基板ボックスが開閉されたか否かを判断することは困難だった。また、封印ビスを用いるものでは、特殊な工具で強制的に封印ビスを開放方向へ回して基板ボックスを開放して不正ＲＯＭへの交換が行われてしまうことがあった。さらに、可動接点を用いて基板ボックスの開閉を検出するものでは、基板ボックスは、通常透明の樹脂により形成されているために、基板ボックスの開閉を検出する可動接点が用いられているのが目視により分かり、基板ボックスの隙間から、ピアノ線などを入れて可動接点が動かないようにされてしまい、基板ボックスの開閉を検出することができなくなると言う問題点があった。さらに、上記の従来技術では、基板ボックスが開閉されたか否かは、制御基板を目視しないと判断できないという問題点があり、このような不正行為は夜間に行われることが多いが、遊技場に何百台とある遊技機を毎朝点検確認するのは煩雑であった。
【０００５】
そこで、本出願人は特願２００２−２３２１９３号で遊技機の状態を監視する監視システム、遊技機及び装置管理システムを提案した。この出願では、遊技機の一種であるパチンコ機の基板ボックス開閉カバー及び大入賞口の開閉扉に監視用ＩＣタグを各々取り付け、これらの監視用ＩＣタグと通信するリーダライタユニット（ＩＣタグ監視装置）が、適時監視用ＩＣタグに呼出波を送信し、ＩＣタグから予めＩＣタグ監視装置に記憶されている監視用ＩＣタグのＩＤコードが含まれている反射波が返送されてくるか否かにより、部材の開閉を監視している。尚、大入賞口は通常は閉鎖された状態であり、この大入賞口が開放され、遊技球が入球すると遊技者は多数の遊技を獲得できるため、薄いプラスチック板などで不正に開閉扉を開いて、遊技球を入賞させるという不正が発生している。そのため、大入賞口の開閉扉の開放の監視が必要となる。
【０００６】
【発明が解決しようとする課題】
しかしながら、特願２００２−２３２１９３号における発明において、ＩＣタグ監視装置が監視を開始する契機について考えると、ＩＣタグ監視装置に電源が供給されると供に監視が開始されるとすると、ＩＣタグを被監視部材に貼り付けていない内に監視が行われたり、監視をする必要のない被監視部材の監視が行われたりするという問題がある。つまり、ＩＣタグが被監視部材に貼り付けられていない間や貼り付け作業を行っている間、運搬中において監視の必要のない被監視部材（例えば、装置が遊技機である場合の大入賞口）に設けられているＩＣタグについては監視を行う必要はない。これらについて監視を行い、結果を記録すると、情報が煩雑になったり、記憶エリアの無駄になったりするという問題がある。
【０００７】
本発明は、上記問題を解決するためになされたものであり、識別情報を記憶したＩＣタグを装置のいずれかの部材に設け、当該ＩＣタグと非接触で通信を行うことにより前記部材の状態を監視し、その監視の開始を指示することができる監視手段を備えた装置を提供することを目的としている。
【０００８】
【課題を解決するための手段】
上記目的を達成するために、請求項１に記載の発明の監視手段を備えた装置は、識別情報を記憶したＩＣタグを装置のいずれかの部材に設け、当該ＩＣタグと非接触で通信を行うことにより前記部材の状態を監視する監視手段を備えた装置であって、前記監視手段は、電源が供給される間、前記ＩＣタグと非接触で通信を行う通信手段と、当該通信手段による通信の通信結果が正常であるか否かを判断する通信結果判断手段と、監視を開始させるための開始用ＩＣタグとして前記ＩＣタグを備え、当該装置から取り外し可能、携帯可能な認証部材と、前記ＩＣタグの中、前記開始用ＩＣタグ以外のＩＣタグと通信を行い、通信結果判断手段により、正常でないと判断された場合に、前記通信結果に関する情報を監視情報として記憶する監視情報記憶手段と、前記開始用ＩＣタグと通信を行い、前記通信結果判断手段により正常と判断さた場合に、前記監視情報記憶手段に前記監視情報を記憶可能な記憶可能状態とする記憶制御手段とを備えている。
【０００９】
この構成の監視手段を備えた装置では、監視手段の通信手段は、電源が供給される間、ＩＣタグと非接触で通信を行い、通信結果判断手段は、通信手段による通信の通信結果が正常であるか否かを判断し、認証部材は、監視を開始させるための開始用ＩＣタグとしてＩＣタグを備え、装置から取り外し可能、携帯可能であり、監視情報記憶手段は、ＩＣタグの中、開始用ＩＣタグ以外のＩＣタグと通信を行い、通信結果判断手段により、正常でないと判断された場合に、通信結果に関する情報を監視情報として記憶し、記憶制御手段は、開始用ＩＣタグと通信を行い、通信結果判断手段により正常と判断さた場合に、監視情報記憶手段に監視情報を記憶可能な記憶可能状態とする。
【００１０】
また、請求項２に係る発明の監視手段を備えた装置では、請求項１に記載の発明の構成に加えて、前記通信結果が正常である場合に、正常であることを報知する通信状態報知手段を備えたことを特徴とする構成となっている。
【００１１】
この構成の監視手段を備えた装置では、請求項１に記載の発明の作用に加えて、通信状態報知手段は、通信結果が正常である場合に、正常であることを報知する。
【００１２】
また、請求項３に係る発明の監視手段を備えた装置では、請求項１又は２に記載の発明の構成に加えて、前記記憶可能状態であることを報知する記憶状態報知手段を備えたことを特徴とする構成となっている。
【００１３】
この構成の監視手段を備えた装置では、請求項１又は２に記載の発明の作用に加えて、記憶状態報知手段は、記憶可能状態であることを報知する。
【００１４】
また、請求項４に係る発明の監視手段を備えた装置では、請求項１乃至３のいずれかに記載の発明の構成に加えて、前記通信結果に関する情報は、前記装置の状態  の変化が発生した日付、時刻、通信結果及び前記ＩＣタグが備えられている位置を特定する位置特定符号の少なくとも１つを含む履歴データであることを特徴とする構成となっている。
【００１５】
この構成の監視手段を備えた装置では、請求項１乃至３のいずれかに記載の発明の作用に加えて、通信結果に関する情報は、装置の状態  の変化が発生した日付、時刻、通信結果及びＩＣタグが備えられている位置を特定する位置特定符号の少なくとも１つを含む履歴データが用いられる。
【００１６】
また、請求項５に係る発明の監視手段を備えた装置では、請求項１乃至４のいずれかに記載の発明の構成に加えて、前記装置の状態は、前記装置の前記ＩＣタグが備えられている部材の存否であることを特徴とする構成となっている。
【００１７】
この構成の監視手段を備えた装置では、請求項１乃至４のいずれかに記載の発明の作用に加えて、装置のＩＣタグが備えられている部材の存否が装置の状態として監視される。
【００１８】
また、請求項６に係る発明の監視手段を備えた装置では、請求項１乃至５のいずれかに記載の発明の構成に加えて、前記通信結果判断手段は、前記通信手段による通信が行えない場合、または、前記通信手段により通信を行った際に、通信が行われたＩＣタグの記憶している識別情報と通信を行う予定であったＩＣタグの識別情報とが異なっている場合に、正常でないと判断することを特徴とする構成となっている。
【００１９】
この構成の監視手段を備えた装置では、請求項１乃至５のいずれかに記載の発明の作用に加えて、通信結果判断手段は、通信手段による通信が行えない場合、または、通信手段により通信を行った際に、通信が行われたＩＣタグの記憶している識別情報と通信を行う予定であったＩＣタグの識別情報とが異なっている場合に、正常でないと判断する。
【００２０】
また、請求項７に係る発明の監視手段を備えた装置では、請求項１乃至６のいずれかに記載の発明の構成に加えて、前記装置は遊技機であることを特徴とする構成となっている。
【００２１】
この構成の監視手段を備えた装置では、請求項１乃至６のいずれかに記載の発明の作用に加えて、装置は遊技機が用いられる。
【００２２】
また、請求項８に係る発明の装置では、請求項７に記載の発明の構成に加えて、前記遊技機は、当該遊技機を設置する遊技機設置台に前記遊技機を固定するための機枠と、前記遊技機の本体を前記機枠に設置するための本体枠と、遊技球が流下する遊技領域を保護するための前面枠と、鍵と錠とで構成され、前記機枠と前記本体枠、及び前記本体枠と前記前面枠とを施錠する施錠装置とを備え、前記認証部材は前記鍵に備えられていることを特徴とする構成となっている。
【００２３】
この構成の装置では、請求項７に記載の発明の作用に加えて、遊技機の機枠は、遊技機を設置する遊技機設置台に遊技機を固定し、本体枠は、遊技機の本体を機枠に設置し、前面枠は、遊技球が流下する遊技領域を保護し、施錠装置は、鍵と錠とで構成され、機枠と本体枠、及び本体枠と前面枠とを施錠し、認証部材は鍵に備えられている。
【００２４】
【発明の実施の形態】
以下、本発明の一実施の形態について図面を参照して以下の順で説明する。
１．システム構成の概要説明
２．装置の説明
３．ＩＣタグの説明
４．監視場所の説明
５．鍵の説明
６．監視情報の説明
７．監視処理の説明
８．監視開始の説明
９．実施の形態と請求項との対比
１０．実施の形態の効果
１１．変形例の説明
【００２５】
１．システム構成の概要説明
図１は、本実施の形態の監視システムの構成図である。パチンコ機１にはパチンコ機１の部材の監視を行うリーダライタユニット（以下、Ｒ／Ｗユニット）３０が付属しており、遊技場内にある複数台のパチンコ機１を背中合わせに２列に並べて設置した遊技機設置島２００の各々に島管理端末１００が設置されている。さらに、パチンコ機１に付属のＲ／Ｗユニット３０が店内ネットワーク１５０を介して島管理端末１００に接続される構成となっている。また、島管理端末１００は遊技場全体を管理する遊技場管理端末３００に接続されており、この遊技場管理端末３００が各島管理端末１００を一括管理している。尚、本実施形態の監視システムでは、遊技機の一種であるパチンコ機１が「監視手段を備えた装置」に相当し、パチンコ機１に備えられたリーダライタユニット（以下、「Ｒ／Ｗユニット」と称する。）３０が「監視手段」として機能する。
【００２６】
尚、パチンコ機１には、監視を行う場所に監視用ＩＣタグ８６が備えられ、正常に設置されている場合に監視用ＩＣタグ８６と通信可能な位置に監視用アンテナ６８が備えられている。本実施の形態では、大入賞口の開閉扉や基板ボックス等合計６箇所に備えられているが、具体的な設置場所については図２および図３を参照して後述する。そして、監視の結果、異常が発生したり、異常が回復したりした場合には、その情報が監視情報としてＲ／Ｗユニット３０のＥＥＰＲＯＭ３５、ＲＡＭ３４に記憶される。また、異常が回復した場合には、その監視場所に備えられている監視用ＩＣタグ８６のＥＥＰＲＯＭ８６３（図７参照）に、異常の発生情報と回復情報が監視情報として記憶される。また、これらの情報は島管理端末１００に送信されて、さらに遊技場管理端末３００へ送信される。島管理端末１００は受信した監視情報を報知し、その監視情報に対して遊技場内で係員が対応できるように構成されており、遊技場管理端末３００では店内ネットワーク１５０に接続している全てのパチンコ機１の監視情報を収集し、蓄積することができるように構成されている。
【００２７】
２．装置の説明
次に、図２乃至図５を参照してパチンコ機１の構造、パチンコ機１に備えられたＲ／Ｗユニット３０について説明する。図２は、パチンコ機１の前面枠１１１及び本体枠１１０を開いた状態をパチンコ機１の前面から見た斜視図である。図３はパチンコ機１の背面図である。図４は、Ｒ／Ｗユニット３０の斜視図である。図５は、パチンコ機１及びパチンコ機１に付属したＲ／Ｗユニット３０の電気的構成を示すブロック図である。
【００２８】
図２に示すように、パチンコ機１は、機枠１１２と、本体枠１１０と、前面枠１１１とから構成されている。機枠１１２は、パチンコ機１を遊技機設置島２００に固定するためのものである。また、本体枠１１０には、パチンコ機１の制御を司る種々の基板、図示外の発射機に遊技球を供給し、かつ、賞品球を受ける上皿５、賞品球を受ける下皿６、遊技球を発射するための発射ハンドル７、音声を発するスピーカー４８から成る本体１１３及び遊技盤２がはめ込まれている。種々の基板は、本体枠１１０の背面に備えられている。また、略正方形の遊技盤２は、本体１１３の正面の上半分の部分に設けられ、遊技盤２の下方部には上皿５が設けられ、上皿５の直下には下皿６が設けられ、下皿６の右横には発射ハンドル７が設けられ、上皿５と下皿６の間にはスピーカー４８が設けられている。そして、前面枠１１１は、透明なガラス板１１１ａを保持し、遊技盤２を保護のため覆っている。また、遊技盤２には、ガイドレール３で囲まれた略円形の遊技領域４が設けられていおり、発射ハンドル７を操作することにより発射された遊技球がガイドレール３に導かれて、遊技領域４へ侵入し、流下する。尚、遊技領域４の下部には、大入賞口１６が設けられ、さらに、種々の入賞口、電飾ランプ、風車、障害釘及び図柄表示装置等が設けられている。
【００２９】
また、本体枠１１０には鍵穴１２０が設けられた施錠装置を備えており、鍵１２１（図１０参照）を挿入し、鍵１２１を左方向へ回転させると前面枠１１１が手前に開き、鍵１２１を右方向へ回転させると本体枠１１０が手前に開くように構成されている。また、鍵穴１２０の近傍には開始用アンテナ１２８が備えられており、開始用ＩＣタグ１２６を備えた鍵１２１が鍵穴１２０に挿入されると、開始用アンテナ１２８と開始用ＩＣタグ１２６とが通信可能となる。
【００３０】
次に、図３を参照して、パチンコ機１の背面の構造について説明する。図３はパチンコ機１の背面図である。図３に示すように、パチンコ機１の左下部背面には、パチンコ機１の主制御を司る主基板４１を収納した透明な樹脂製の主基板ボックス８１が設けられ、主基板ボックス８１の右隣には音基板４３が、音基板４３の右隣上方には電源基板４２がそれぞれ透明な樹脂製のボックスに収められ、その下方には払出制御基板４５が透明な樹脂製の払出制御基板ボックス８２に収められて配置されている。さらに、主基板ボックス８１の上方には、遊技盤の裏面を保護し、各種配線を覆うセンターカバー８０が配置され、そのセンターカバー８０の外側には、Ｒ／Ｗ基板３１を収納したＲ／Ｗユニット３０が設置されている。尚、Ｒ／Ｗユニット３０の電源は、電源基板４２からではなく遊技機設置島２００の電源装置（図示外）から供給されている。
【００３１】
次に、図４を参照して、Ｒ／Ｗユニット３０の概観について説明する。Ｒ／Ｗユニット３０は略立方体の形状をしており、内部にＲ／Ｗ基板３１を備えている。また、Ｒ／Ｗユニット３０をセンターカバー８０へ取り付ける際に、Ｒ／Ｗユニット３０におけるセンターカバー８０への取付面と対向する面には、通信状態ＬＥＤ７６ａ，通信状態ＬＥＤ７６ｂ，通信状態ＬＥＤ７６ｃ，通信状態ＬＥＤ７６ｄ，通信状態ＬＥＤ７６ｅ，通信状態ＬＥＤ７６ｆ、監視開始ＬＥＤ７７ａ，監視開始ＬＥＤ７７ｂ，監視開始ＬＥＤ７７ｃ，監視開始ＬＥＤ７７ｄ，監視開始ＬＥＤ７７ｅ，監視開始ＬＥＤ７７ｆが設けられている。通信状態ＬＥＤ７６ａ，通信状態ＬＥＤ７６ｂ，通信状態ＬＥＤ７６ｃ，通信状態ＬＥＤ７６ｄ，通信状態ＬＥＤ７６ｅ，通信状態ＬＥＤ７６ｆは、各監視場所の監視用ＩＣタグ８６がＲ／Ｗ基板３１と通信状態となった場合に点灯する。また、監視開始ＬＥＤ７７ａ，監視開始ＬＥＤ７７ｂ，監視開始ＬＥＤ７７ｃ，監視開始ＬＥＤ７７ｄ，監視開始ＬＥＤ７７ｅ，監視開始ＬＥＤ７７ｆは、各監視場所について記憶可能状態となった場合に点灯する。
【００３２】
尚、通信状態とは、Ｒ／Ｗ基板３１から各監視用ＩＣタグ８６に呼出波を送信し、監視用ＩＣタグ８６から予め登録されているＩＤコードを含む反射波が返送されてきている状態を言う。そして、開始用ＩＣタグ１２６を備えた鍵１２１が鍵穴１２０へ挿入され、Ｒ／Ｗ基板３１により開始用ＩＣタグ１２６が認識されると、通信状態である監視用ＩＣタグ８６は記憶可能状態となる。尚、監視場所は６つ設けられており、通信状態ＬＥＤ７６ａ及び監視開始ＬＥＤ７７ａが監視場所１の状態を示し、通信状態ＬＥＤ７６ｂ及び監視開始ＬＥＤ７７ｂが監視場所２の状態を示し、通信状態ＬＥＤ７６ｃ及び監視開始ＬＥＤ７７ｃが監視場所３の状態を示し、通信状態ＬＥＤ７６ｄ及び監視開始ＬＥＤ７７ｄが監視場所４の状態を示し、通信状態ＬＥＤ７６ｅ及び監視開始ＬＥＤ７７ｅが監視場所５の状態を示し、通信状態ＬＥＤ７６ｆ及び監視開始ＬＥＤ７７ｆが監視場所６の状態を示しており、各ＬＥＤは、監視場所を示す「１」〜「６」の番号に対応して、どのＬＥＤがどの監視場所を示しているのかが判るように、Ｒ／Ｗユニット３０におけるセンターカバー８０への取付面と対向する面に配置されている。具体的な監視場所については、図２及び図３を参照して後述する。
【００３３】
次に、図５を参照してパチンコ機１及びパチンコ機１に付属したＲ／Ｗユニット３０の主な構成要素の電気的構成について説明する。パチンコ機１には、主基板４１、電源基板４２、音基板４３、図柄表示基板４４、払出制御基板４５、電飾基板４６、中継基板４７、発射基板６６、サブ統合基板５８等が設けられている。主基板４１には、各種の演算処理を行うＣＰＵ５１が設けられており、フラグやカウンタ値やデータを記憶するＲＡＭ５２と、制御プログラム及び各種の初期値のデータや図柄表示装置（図示外）への表示内容のデータ等を記憶したＲＯＭ５３とが接続している。また、ＣＰＵ５１は、Ｉ／Ｏインタフェイス５４に接続しており、Ｉ／Ｏインタフェイス５４には、Ｒ／Ｗユニット３０へデータを引き渡すための出力ポート５５、サブ統合基板５８、払出制御基板４５、中継基板４７が接続している。さらに、サブ統合基板５８には図柄表示基板４４、電飾基板４６、音基板４３が接続され、払出制御基板４５には発射基板６６が接続されている。電源基板４２は遊技機設置島に備えられた電源から電源供給を受けており、主基板４１、サブ統合基板５８、払出制御基板４５、発射基板６６に電源供給を行っている。
【００３４】
また、Ｒ／Ｗユニット３０には、Ｒ／Ｗ基板３１が備えられており、Ｒ／Ｗ基板３１にはＲ／Ｗユニット３０の制御を司るＣＰＵ３２が設けられている。ＣＰＵ３２はフラグやデータ等を一時的に記憶するＲＡＭ３４、制御プログラム及び各種の初期値のデータ等を記憶したＲＯＭ３３が内蔵されている。そして、ＣＰＵ３２には、監視情報等を記憶するＥＥＰＲＯＭ３５、監視用ＩＣタグ８６ａ，監視用ＩＣタグ８６ｂ，監視用ＩＣタグ８６ｃ，監視用ＩＣタグ８６ｄ，監視用ＩＣタグ８６ｅ，監視用ＩＣタグ８６ｆへ呼出波を送信し、反射波を受信するためのＲａｄｉｏ  Ｆｒｅｑｕｅｎｃｙ回路（以下、ＲＦ回路と称する）３８、パチンコ機１の主基板４１の出力ポート５５と接続する入力ポート３９、時間管理を行うＲＴＣ７１、Ｉ／Ｏインタフェイス３７が接続している。Ｉ／Ｏインタフェイス３７には、島管理端末１００に接続するための店内ネットワーク１５０に接続する通信回路３６、通信状態ＬＥＤ７６ａ，通信状態ＬＥＤ７６ｂ，通信状態ＬＥＤ７６ｃ，通信状態ＬＥＤ７６ｄ，通信状態ＬＥＤ７６ｅ，通信状態ＬＥＤ７６ｆ、監視開始ＬＥＤ７７ａ，監視開始ＬＥＤ７７ｂ，監視開始ＬＥＤ７７ｃ，監視開始ＬＥＤ７７ｄ，監視開始ＬＥＤ７７ｅ，監視開始ＬＥＤ７７ｆが接続されている。さらに、ＲＦ回路３８に監視用ＩＣタグ８６ａ，監視用ＩＣタグ８６ｂ，監視用ＩＣタグ８６ｃ，監視用ＩＣタグ８６ｄ，監視用ＩＣタグ８６ｅ，監視用ＩＣタグ８６ｆと通信するための監視用アンテナ６８ａ，監視用アンテナ６８ｂ，監視用アンテナ６８ｃ，監視用アンテナ６８ｄ，監視用アンテナ６８ｅ，監視用アンテナ６８ｆ、開始用ＩＣタグ１２６と通信するための開始用アンテナ１２８が接続されている。
【００３５】
また、パチンコ機１の各監視場所には監視用ＩＣタグ８６ａ，監視用ＩＣタグ８６ｂ，監視用ＩＣタグ８６ｃ，監視用ＩＣタグ８６ｄ，監視用ＩＣタグ８６ｅ，監視用ＩＣタグ８６ｆが貼り付けられており、各監視用ＩＣタグ８６ａ，監視用ＩＣタグ８６ｂ，監視用ＩＣタグ８６ｃ，監視用ＩＣタグ８６ｄ，監視用ＩＣタグ８６ｅ，監視用ＩＣタグ８６ｆと通信可能な位置に監視用アンテナ６８ａ，監視用アンテナ６８ｂ，監視用アンテナ６８ｃ，監視用アンテナ６８ｄ，監視用アンテナ６８ｅ，監視用アンテナ６８ｆが設置されている。尚、監視用アンテナ６８ａは監視用ＩＣタグ８６ａと通信をし、監視用アンテナ６８ｂは監視用ＩＣタグ８６ｂと通信をし、監視用アンテナ６８ｃは監視用ＩＣタグ８６ｃと通信をし、監視用アンテナ６８ｄは監視用ＩＣタグ８６ｄと通信をし、監視用アンテナ６８ｅは監視用ＩＣタグ８６ｅと通信をし、監視用アンテナ６８ｆは監視用ＩＣタグ８６ｆと通信をする。
【００３６】
３．ＩＣタグの説明
次に、図６及び図７を参照し監視用ＩＣタグ８６ａ，監視用ＩＣタグ８６ｂ，監視用ＩＣタグ８６ｃ，監視用ＩＣタグ８６ｄ，監視用ＩＣタグ８６ｅ，監視用ＩＣタグ８６ｆの構造について説明する。図６は、監視用ＩＣタグ８６ａ，監視用ＩＣタグ８６ｂ，監視用ＩＣタグ８６ｃ，監視用ＩＣタグ８６ｄ，監視用ＩＣタグ８６ｅ，監視用ＩＣタグ８６ｆの平面図である。図７は、監視用ＩＣタグ８６ａ，監視用ＩＣタグ８６ｂ，監視用ＩＣタグ８６ｃ，監視用ＩＣタグ８６ｄ，監視用ＩＣタグ８６ｅ，監視用ＩＣタグ８６ｆの電気的回路構成を示すブロック図である。監視用ＩＣタグ８６ａ，監視用ＩＣタグ８６ｂ，監視用ＩＣタグ８６ｃ，監視用ＩＣタグ８６ｄ，監視用ＩＣタグ８６ｅ，監視用ＩＣタグ８６ｆは、それぞれ同様の構造をしている。図７に示すように、Ｒ／Ｗユニット３０からの呼出波に応答して反射波を放出するＲＦ回路８６１、アンテナ６８２、ＥＥＰＲＯＭ８６３が搭載されている。また、監視用ＩＣタグ８６は、図６に示すように、薄いフレキシブルプリント基板上にアンテナ６８２及びＩＣチップ８６４が設けられており、ＩＣチップ８６４には、ＲＦ回路８６１とＥＥＰＲＯＭ８６３とが一体となって構成されている。さらに、ＥＥＰＲＯＭ８６３には、監視用ＩＣタグ８６を他の監視用ＩＣタグから識別するための識別情報であるＩＤコードが上書消去禁止区域に記憶されている。
【００３７】
Ｒ／Ｗユニット３０から監視用アンテナ６８を介して呼出波が送られてくると、アンテナ６８２がこれを受信するが、この呼出波には搬送波成分が含まれており、これを受信してＲＦ回路８６１で整流して直流電圧を得る。従って、監視用ＩＣタグ８６は、電池や外部電源を使用せずに必要な時にいつでもデータを発信することができる。データの発信は、ＥＥＰＲＯＭ８６３からＩＤコードを読み出して反射波に乗せ、ＲＦ回路８６１から監視用アンテナ６８に向けて送信する。
【００３８】
４．監視場所の説明
次に、図２、図３、図８、図９を参照して、監視用ＩＣタグ８６ａ，監視用ＩＣタグ８６ｂ，監視用ＩＣタグ８６ｃ，監視用ＩＣタグ８６ｄ，監視用ＩＣタグ８６ｅ，監視用ＩＣタグ８６ｆが備えられている監視場所について説明する。監視場所は、主基板４１が収容されている主基板ボックス８１（監視場所１）、払出制御基板４５が収容されている払出制御基板ボックス８２（監視場所２）、遊技盤の裏面を保護し、各種配線を覆うセンターカバー８０（監視場所３）、本体枠１１０と機枠１１２（監視場所４）、前面枠１１１と本体枠１１０（監視場所５）、大入賞口１６（監視場所６）の６箇所であり、その開閉が監視されている。尚、監視場所１である主基板ボックス８１を監視するために、監視用ＩＣタグ８６ａ及び監視用アンテナ６８ａが使用され、監視場所２である払出制御基板ボックス８２を監視するために、監視用ＩＣタグ８６ｂ及び監視用アンテナ６８ｂが使用され、監視場所３であるセンターカバー８０を監視するために、監視用ＩＣタグ８６ｃ及び監視用アンテナ６８ｃが使用され、監視場所４である本体枠１１０と機枠１１２を監視するために、監視用ＩＣタグ８６ｄ及び監視用アンテナ６８ｄが使用され、監視場所５である前面枠１１１と本体枠１１０を監視するために、監視用ＩＣタグ８６ｅ及び監視用アンテナ６８ｅが使用され、監視場所６である大入賞口１６を監視するために、監視用ＩＣタグ８６ｆ及び監視用アンテナ６８ｆが使用される。
【００３９】
図３に示すように、主基板ボックス８１の図３における正面視右下の内面には監視用ＩＣタグ８６ａが貼り付けられており、払出制御基板ボックス８２の図３における正面視右側の内面には監視用ＩＣタグ８６ｂが貼り付けられており、センターカバー８０の図３における正面視右側に監視用ＩＣタグ８６ｃが貼り付けられている。ここで、図８を参照して主基板ボックス８１の監視について説明する。図８に示すように、主基板ボックス８１は、透明な樹脂製の平面視略長方形の上蓋部８１ａと、同じく透明な樹脂製の平面視略長方形の下蓋部８１ｃとから構成されている。また、上蓋部８１ａに対向する下蓋部８１ｃ上には、パチンコ機１の主制御を司る主基板４１が配置されている。そして、上蓋部８１ａの裏面側には、小型で長方形の監視用ＩＣタグ８６ａが接着剤等で接着されている。主基板４１の右下端部には、切り欠きが設けられ、その切り欠き位置には監視用ＩＣタグ８６と電磁波によるＲＦ送受信を行うためのコイル状の監視用アンテナ６８ａが下蓋部８１ｃに設けられ、監視用アンテナ６８ａは同軸ケーブルによりＲ／Ｗ基板３１に接続されている。尚、払出制御基板ボックス８２も主基板ボックス８１と同様の構造をしており、払出制御基板４５の右下部に切り欠きが設けられて、監視用アンテナ６８ｂが下蓋部に設けられている。また、本体の背面においてセンターカバー８０に取り付けられている監視用ＩＣタグ８６ｃと対向する場所には、監視用アンテナ６８ｃが設けられている。
【００４０】
また、図２に示すように、機枠１１２の図２における右枠の内面には監視用ＩＣタグ８６ｄが貼り付けられており、本体１１３の右側面には監視用アンテナ６８ｄが備えられている。尚、監視用ＩＣタグ８６ｄと監視用アンテナ６８ｄとは本体枠１１０と機枠１１２とが閉じられた場合に、向き合う位置に配置されており、本体枠１１０と機枠１１２とが開けられた状態では、監視用ＩＣタグ８６ｄと監視用アンテナ６８ｄとが通信不能となる。また、前面枠１１１と本体枠１１０とが閉じられた状態での、前面枠１１１の正面視右上の裏面（本体枠１１０と向き合う面）には、監視用ＩＣタグ８６ｅが貼り付けられている。そして、本体枠１１０の上枠の表面（前面枠１１１と向き合う面）には、監視用アンテナ６８ｅが備えられている。尚、監視用ＩＣタグ８６ｅと監視用アンテナ６８ｅとは前面枠１１１と本体枠１１０とが閉じられた場合に、向き合う位置に配置されており、前面枠１１１と本体枠１１０とが開けられた状態では、監視用ＩＣタグ８６ｅと監視用アンテナ６８ｅとが通信不能となる。さらに、遊技領域４の下部には所定条件の成立により開閉扉１６ａを開閉する可変入賞装置の一種である大入賞口１６が設けられており、大入賞口１６を開閉するための開閉扉１６ａの内側に監視用ＩＣタグ８６ｆが貼り付けられ、大入賞口１６の周囲には監視用アンテナ６８ｆが設けられている。
【００４１】
ここで、図９を参照して、大入賞口１６が設けられているアタッカ部材１６０への監視用ＩＣタグ８６ｆの設置について説明する。図９に示すように、アタッカ部材１６０の開閉扉１６ａの表面には、前述した監視用ＩＣタグ８６ｆが貼り付けられ、さらに監視用ＩＣタグ８６ｆを覆うように装飾シール等が貼付されて遊技者からは見えないようになっている。また、アタッカ部材１６０の開口部１６ｂである大入賞口１６の周囲には、監視用ＩＣタグ８６ｆを囲むようにループ形状の監視用アンテナ６８ｆが設けられ、監視用アンテナ６８ｆは同軸ケーブルによりＲ／Ｗユニット３０に接続されている。この監視用ＩＣタグ８６ｆは、送受信方向に指向性があり、監視用アンテナ６８ｆと平行に位置した場合のみ送受信可能である。大入賞口１６の閉鎖状態では、開閉扉１６ａが大入賞口１６の開口部１６ｂを塞いでおり、監視用ＩＣタグ８６ｆと監視用アンテナ６８ｆはほぼ同一平面上に位置しているので、送受信可能であり、監視用アンテナ６８ｆを介したＲ／Ｗユニット３０からの呼出波に対して監視用ＩＣタグ８６ｆから反射波が返される。一方、図９に示すように開閉扉１６ａが開くと、監視用ＩＣタグ８６ｆと監視用アンテナ６８ｆとは平行でなくなり、通信可能な臨界角度を超えるので、監視用ＩＣタグ８６ｆはＲ／Ｗユニット３０からの呼び出しに応答できなくなる。
【００４２】
尚、本実施形態において、監視用ＩＣタグ８６と監視用アンテナ６８は、１３．５６ＭＨｚの短波帯で通信を行っている。この周波数での通信はノイズによる影響を比較的受けにくいので、パチンコ機１の設置環境に適している。監視用アンテナ６８ａと監視用ＩＣタグ８６ａとの距離は、上蓋部８１ａと下蓋部８１ｃを組み付けた状態で約３ｍｍになるように配置されている。この距離間ではＲＦ送受信が可能であり監視用アンテナ６８ａを介したＲ／Ｗユニット３０からの呼び出しに監視用ＩＣタグ８６ａが応答することができ、監視用アンテナ６８ａと監視用ＩＣタグ８６ａとの距離が約５ｍｍを超えると通信不能となるように設定されている。この通信可能距離は、監視用アンテナ６８のコイルの巻き数やリアクタンス値により調節が可能である。このように通信可能距離を設定することにより、上蓋部８１ａのわずかな隙間の開放であっても検知することができ、また、振動等によるわずかな揺れでは通信不能とならないように調整されている。また、上述したように、この周波数帯での通信はノイズによる影響を比較的受けにくいが、他の電磁波を使用する部材からのノイズの影響による誤動作を少しでも防ぐために、監視用ＩＣタグ８６や監視用アンテナ６８は、ソレノイドを使用している賞品払出装置や発射モータから離した位置である主基板４１の右下端部に配置している。また、監視用アンテナ６８ｆと監視用ＩＣタグ８６ｆ間の通信も１３．５６ＭＨｚの短波帯で行われており、この周波数帯での通信はノイズによる影響を受けにくいが、他の電磁波を使用する部材からのノイズの影響による誤動作を少しでも防ぐために、開閉扉１６ａの動作を制御する大入賞口開放ソレノイド７０は、監視用ＩＣタグ８６ｆや監視用アンテナ６８ｆから離したアタッカ部材１６０の左奥に配置されている。
【００４３】
５．鍵の説明
次に、鍵１２１の構造について図１０を用いて説明する。図１０は、鍵１２１の平面図である。尚、この鍵１２１が「認証部材」に相当する。図１０に示すように、鍵１２１は、把持部１２２のカバー内部に開始用ＩＣタグ１２６が埋め込まれている。この鍵１２１は、パチンコ機１の前面枠１１１及び本体枠１１０の開閉、挿入された鍵１２１の種類の認証及び監視の開始に使用される。尚、開始用ＩＣタグ１２６は、把持部１２２のカバー内部に埋め込むために、細い円筒型（スティック型）に形成されている。また、その電気的回路構成は、図７に示す監視用ＩＣタグ８６と同様であり、開始用ＩＣタグ１２６もＲＦ回路、アンテナ、ＥＥＰＲＯＭを搭載している。円筒中にはアンテナ及びＩＣチップが設けられて、ＩＣチップには、ＲＦ回路とＥＥＰＲＯＭとが一体となって構成されている。そして、ＥＥＰＲＯＭには、開始用ＩＣタグ１２６を他のＩＣタグと識別するための識別情報であるＩＤコードが上書消去禁止区域に記憶されている。また、この鍵１２１は複数存在してもよい。ただし、その際には各鍵１２１に埋め込まれている開始用ＩＣタグ１２６のＩＤコードは、各開始用ＩＣタグ１２６毎に異なる。
【００４４】
６．監視情報の説明
次に、図１１乃至図１３を参照して、Ｒ／Ｗユニット３０がパチンコ機１に取り付けられた監視用ＩＣタグ８６ａ，監視用ＩＣタグ８６ｂ，監視用ＩＣタグ８６ｃ，監視用ＩＣタグ８６ｄ，監視用ＩＣタグ８６ｅ，監視用ＩＣタグ８６ｆを監視した監視結果について説明する。監視結果は次の４箇所に記憶される。Ｒ／Ｗ基板３１のＥＥＰＲＯＭ３５、Ｒ／Ｗ基板３１のＲＡＭ３４、異常が発生した監視用ＩＣタグ８６のＥＥＰＲＯＭ８６３、遊技場管理端末３００である。Ｒ／Ｗ基板３１のＥＥＰＲＯＭ３５には、Ｒ／Ｗユニット３０が備えられているパチンコ機１で発生した異常に関する最新の情報が監視場所毎に記憶される。Ｒ／Ｗ基板３１のＲＡＭ３４には、Ｒ／Ｗユニット３０が備えられているパチンコ機１で発生した異常に関する１日分の情報が時系列で記憶される。異常が発生した監視用ＩＣタグ８６のＥＥＰＲＯＭ８６３には、その監視用ＩＣタグ８６で発生した異常に関する情報が、異常が回復した際に時系列で記憶される。遊技場管理端末３００には、店内ネットワーク１５０に接続されたパチンコ機１の監視情報の全てが記憶される。
【００４５】
図１１は、各監視場所の最新の監視情報が記憶されているＲ／Ｗ基板３１のＥＥＰＲＯＭ３５の最新監視情報記憶エリア３５１の概念図である。図１２は、１日分の監視情報が記憶されているＲ／Ｗ基板３１のＲＡＭ３４の履歴監視情報記憶エリア３４１の概念図である。図１３は、監視用ＩＣタグ８６のＥＥＰＲＯＭ８６３の監視情報記憶エリア８６３１の概念図である。
【００４６】
まず、図１１を参照して、各監視場所の最新の監視情報が記憶されているＲ／Ｗ基板３１のＥＥＰＲＯＭ３５の最新監視情報記憶エリア３５１について説明する。図１１に示すように、最新監視情報記憶エリア３５１には、監視場所１〜監視場所６毎に発生日付、発生時刻、復帰日付、復帰時刻、ＩＤエラーの情報が記憶されている。「発生日付」及び「発生時刻」には異常が発生した日付及び時刻がそれぞれ記憶され、「復帰日付」及び「復帰時刻」には異常が復帰した日付及び時刻がそれぞれ記憶され、「ＩＤエラー」には異常がＩＤコードの不一致に因るＩＤエラーであるか否かの情報が記憶される。尚、「ＩＤエラー」に「１」が記憶されている場合には、発生した異常の内容がＩＤコードの不一致に因るものであることを示している。「１」以外の値が記憶されている場合には、ＩＤコードの不一致に因らない異常、すなわち監視用ＩＣタグ８６から応答がない応答エラーであることを示している。
【００４７】
図１１に示す例では、監視場所１の発生日付には２００３年３月３日、発生時刻には２３時３８分２１秒、ＩＤエラーには「１」が記憶されており、復帰日付には、復帰時刻には、何も記憶されていない。つまり、監視場所１では異常が発生中であり、まだ正常状態に復帰していない。監視場所２の発生日付には２００３年３月３日、発生時刻には２２時１６分１０秒、復帰日付には２００３年３月３日、復帰時刻には２２時１６分５３秒、ＩＤエラーには「０」が記憶されている。監視場所３の発生日付には２００３年３月３日、発生時刻には２２時１７分２０秒、復帰日付には２００３年３月３日、復帰時刻には２２時１７分４４秒、ＩＤエラーには「０」が記憶されている。監視場所４には、何もデータが記憶されていない。つまり、まだ一度も異常が発生していない。監視場所５の発生日付には２００３年２月２２日、発生時刻には１５時１３分４５秒、ＩＤエラーには「１」が記憶されている。監視場所６の発生日付には２００３年２月２４日、発生時刻には１１時２１分５６秒、復帰日付には２００３年２月２４日、復帰時刻には１１時２２分４０秒、ＩＤエラーには「０」が記憶されている。
【００４８】
次に、図１２を参照して、１日分の監視情報が記憶されているＲ／Ｗ基板３１のＲＡＭ３４の履歴監視情報記憶エリア３４１について説明する。図１２に示すように、履歴監視情報記憶エリア３４１には、時刻、監視場所、状態、ＩＤエラーの情報が時系列に記憶されている。「時刻」には、異常が発生又は復帰した時刻が記憶され、「監視場所」にはその異常が発生又は復帰した場所を示す番号が記憶され、「状態」には異常が発生したのかそれとも復帰したのかを示すコードが記憶され、「ＩＤエラー」には異常がＩＤコードの不一致に因るＩＤエラーであるか否かの情報が記憶される。尚、「状態」に「１」が記憶されている場合には、異常が発生したことを示しており、「２」が記憶されている場合には、異常が回復したことを示している。また、「ＩＤエラー」に「１」が記憶されている場合には、発生した異常の内容がＩＤコードの不一致に因るものであることを示している。「１」以外の値が記憶されている場合には、ＩＤコードの不一致に因らない異常、すなわち監視用ＩＣタグ８６から応答がない応答エラーであることを示している。
【００４９】
図１２に示す例では、２２時１６分１０秒に監視場所２に応答エラーが発生しており、２２時１６分５３秒に監視場所２の応答エラーが復帰している。さらに２２時１７分２０秒に監視場所３に応答エラーが発生しており、２２時１７分４４秒に監視場所３の応答エラーが回復している。さらに、２３時３５分４６秒には監視場所１に応答エラーが発生している。
【００５０】
次に、図１３を参照して、監視用ＩＣタグ８６のＥＥＰＲＯＭ８６３の監視情報記憶エリア８６３１について説明する。監視情報記憶エリア８６３１には、この監視用ＩＣタグ８６で発生した異常の発生日付、発生時刻、復帰日付、復帰時刻の情報が時系列に全て記憶されている。「発生日付」及び「発生時刻」には異常が発生した日付及び時刻がそれぞれ記憶され、「復帰日付」及び「復帰時刻」には異常が復帰した日付及び時刻がそれぞれ記憶される。尚、ここに記憶されるのは応答エラーのみである。
【００５１】
図１３に示す例では、２００３年２月２４日の１時２１分５６秒に応答エラーが発生して、２００３年２月２４日の１時２２分４０秒に復帰している。そして、２００３年３月３日の２３時３０分１２秒に応答エラーが発生して、２００３年３月３日の２３時３８分２１秒に復帰している。
【００５２】
７．監視処理の説明
ここで、Ｒ／Ｗユニット３０による監視場所の監視について図１４乃至図１８を参照してフローチャートを用いて説明する。Ｒ／Ｗユニット３０に電源が供給されると、ＣＰＵ３２において監視基本処理が実行される。監視基本処理では、各監視場所の監視処理が繰り返し実施される。監視処理は、監視場所１〜監視場所５（主基板ボックス８１、払出制御基板ボックス８２、センターカバー８０、本体枠１１０と機枠１１２、前面枠１１１と本体枠１１０）と監視場所６（大入賞口１６）とで異なる。図１４は、Ｒ／Ｗ基板３１のＣＰＵ３２で実施される監視基本処理のフローチャートである。図１５は、監視基本処理の中で行われる認証処理のフローチャートである。図１６は、監視基本処理の中で行われる大入賞口１６以外の監視場所の監視を行う監視処理のフローチャートである。図１７及び図１８は、監視基本処理の中で行われる大入賞口１６の監視を行う大入賞口監視処理のフローチャートである。
【００５３】
まず、図１４を参照して、監視基本処理について、フローチャートを用いて説明する。この処理は、Ｒ／Ｗユニット３０に電源が供給されると実施され、まず、各エラーフラグに初期値の「１」がセットされ、通信状態フラグに「０」がセットされる（Ｓ１）。そして、Ｓ２〜Ｓ２１の処理が繰り返し実施され、監視が行われる。
【００５４】
尚、エラーフラグは、各監視場所毎に設けられており、「０」が記憶されている場合には監視用ＩＣタグ８６との通信が正常に行われており、「１」が記憶されている場合には監視用ＩＣタグ８６との通信が正常に行われていないことを示している。そして、監視場所１〜監視場所６毎に応答エラーフラグ及びＩＤエラーフラグが設けられている。尚、応答エラーは監視用アンテナ６８から送信された呼出波に対して、監視用ＩＣタグ８６が反射波を返信してこなかった場合を示し、ＩＤエラーは反射波に含まれているＩＤコードが予め登録されているものと異なっている場合を示している。したがって、監視基本処理が開始される際には、各監視用ＩＣタグ８６と正常な通信はまだ成立していないので、初期値として正常に通信が行われていないエラー状態を示す「１」がセットされる。また、通信状態フラグも、各監視場所毎に設けられており、監視用ＩＣタグ８６との通信が正常に行われている場合には「１」が記憶されて「ＯＮ」とされている。そこで、本監視基本処理実施開始時には、まだ監視用ＩＣタグ８６との通信は正常に行われていないので、初期値として「０」が記憶されて「ＯＦＦ」とされる。
【００５５】
図１４のＳ２〜Ｓ２１に示すように、認証処理（Ｓ２）、主基板ボックス８１（監視場所１）（Ｓ３）、認証処理（Ｓ４）、大入賞口１６（監視場所６）（Ｓ５）、認証処理（Ｓ６）、払出制御基板ボックス８２（監視場所２）（Ｓ７）、認証処理（Ｓ８）、大入賞口１６（監視場所６）（Ｓ９）、認証処理（Ｓ１０）、センターカバー８０（監視場所３）（Ｓ１１）、認証処理（Ｓ１２）、大入賞口１６（監視場所６）（Ｓ１３）、認証処理（Ｓ１４）、本体枠１１０と機枠１１２（監視場所４）（Ｓ１５）、認証処理（Ｓ１６）、大入賞口１６（監視場所６）（Ｓ１７）、認証処理（Ｓ１８）、前面枠１１１と本体枠１１０（監視場所５）（Ｓ１９）、認証処理（Ｓ２０）、大入賞口１６（監視場所６）（Ｓ２１）の順で監視が行われる。大入賞口１６については、遊技者が不正行為を行っているのを発見するために監視しているので、他の監視場所よりも頻繁に監視をする必要があり、監視回数も多く設定されている。そして、認証処理については、各監視処理が実施される前に必ず実施されている。
【００５６】
次に、本発明の主要部である、監視の開始を行う認証処理について、図１５に示すフローチャートを参照して説明する。本実施の形態では、開始用ＩＣタグ１２６を備えた鍵１２１が鍵穴１２０に差し込まれ、Ｒ／Ｗ基板３１が開始用ＩＣタグ１２６を認識すると監視情報の記憶が開始されることにより、監視が開始される。監視処理（図１６参照）、大入賞口監視処理（図１７，図１８参照）で後述するように、各監視用ＩＣタグ８６毎に設けられた開始フラグに「１」が記憶されて「ＯＮ」となっている際に監視情報は記憶される。すなわち、開始フラグが「ＯＮ」となると記憶可能状態となり、監視が開始されることになる。尚、Ｒ／Ｗ基板３１が開始用ＩＣタグ１２６を認識した場合には、監視場所に備えられている監視用ＩＣタグ８６が通信状態となっている場合にのみ開始フラグが「ＯＮ」とされる。尚、本発明の要部には深く関らないので、詳細な説明は略すが、この認証処理では、鍵穴１２０に開始用ＩＣタグ１２６が備えられた鍵１２１が挿入されているか否かの判断の他に、他の種類のＩＣタグ（例えば、パチンコ機１の前面枠１１１や本体枠１１０を開閉するためＩＤコードが記憶されているＩＣタグ、監視用ＩＣタグ８６の張り替えや被監視部材の取り替えを行うためのＩＤコードが記憶されているＩＣタグ等）を備えた鍵１２１が挿入されているか否かの判断及びそれに伴う処理も行われている。
【００５７】
まず、開始用アンテナ１２８から呼出波が送信される（Ｓ３１）。そして、鍵１２１に備えられているＩＣタグから反射波の返送があるか否かの判断が行われる（Ｓ３２）。そして、反射波の返送がある場合には（Ｓ３２：ＹＥＳ）、反射波に含まれているＩＤコードが、予め記憶されている監視開始用のＩＤコードであるか否かの判断が行われる（Ｓ３３）。監視開始用のＩＤコードであれば（Ｓ３３：ＹＥＳ）、各監視場所の監視開始処理を行う（Ｓ３４〜Ｓ４０）。
【００５８】
監視場所は６箇所あるので、順に１つずつ処理を行っていくために、監視場所を指定するための監視場所カウンタｎに初期値の「０」が記憶される（Ｓ３４）。そして、監視場所カウンタｎに「１」が加算される（Ｓ３５）。監視場所は６箇所なので、監視場所カウンタｎの値が「６」より大きいか否かの判断が行われる（Ｓ３６）。「６」より大きくなければ（Ｓ３６：ＮＯ）、ｎ番目の監視場所の開始フラグが「ＯＮ」となっており、既に監視が開始されているか否かの判断が行われる（Ｓ３７）。開始フラグが「ＯＮ」であり、すでに監視が開始されている場合には（Ｓ３７：ＹＥＳ）、なにもせずにＳ３５へ戻る。また、開始フラグが「ＯＮ」でなく、監視が開始されていない場合には（Ｓ３７：ＮＯ）、ｎ番目の監視場所の監視用ＩＣタグ８６と正常に通信が行われているか否かの判断が行われる（Ｓ３８）。この判断は、通信状態フラグに「１」が記憶されて「ＯＮ」となっているか否かにより行われる。通信状態フラグが「ＯＦＦ」であり、正常に通信が行われていない場合には（Ｓ３８：ＮＯ）、監視を開始しないので、なにもせずにＳ３２へ戻る。通信状態フラグが「ＯＮ」であり、正常に通信が行われている場合には（Ｓ３８：ＹＥＳ）、ｎ番目の監視場所の開始フラグに「１」が記憶され「ＯＮ」とされ（Ｓ３９）、ｎ番目の監視開始ＬＥＤ７７が点灯される（Ｓ４０）。そして、Ｓ３５へ戻る。
【００５９】
次いで、さらに監視場所カウンタｎに「１」を加算して（Ｓ３５）、監視場所カウンタｎの値が「６」より大きくなるまで、Ｓ３５〜Ｓ４０の処理が繰り返し実施され、監視場所カウンタｎの値が「６」より大きくなったら（Ｓ３６：ＹＥＳ）、認証処理を終了する。
【００６０】
尚、Ｓ３３において、監視開始用のＩＤコードでなければ（Ｓ３３：ＮＯ）、その他の処理（例えば、前面枠１１１や本体枠１１０の開閉、監視用ＩＣタグ８６の張り替えや被監視部材の取り替え等を行ってよい状態であることの認証）を行うためのＩＤコードであるか否かの判断が行われ（Ｓ４２）、その他の処理用のＩＤコードであれば（Ｓ４２：ＹＥＳ）、その他の処理（例えば、被監視部材の取り替えを行ってよい状態であることを示すフラグのセット等）を行い（Ｓ４３）、認証処理を終了する。また、その他の処理用のＩＤコードでなければ（Ｓ４２：ＮＯ）、何もせずに認証処理を終了する。また、Ｓ３２において反射波の返送がなかった場合には（Ｓ３２：ＮＯ）、その他の処理（例えば、被監視部材の取替えを行ってよい状態であることを示すフラグのクリア等）を行って（Ｓ４１）、認証処理を終了する。
【００６１】
このようにして、開始用ＩＣタグ１２６を備えた鍵１２１が鍵穴１２０に挿入されると、開始用アンテナ１２８から送信される呼出波に対応して、開始用ＩＣタグ１２６が反射波を返送することにより、各監視場所の監視を開始させるか否かのチェックが行われて、条件を満たした場合には、開始フラグが「ＯＮ」とされて、監視開始ＬＥＤ７７が点灯する。
【００６２】
次に、図１６のフローチャートを参照して、大入賞口１６以外の監視場所の監視を行う監視処理について説明する。ここでは、大入賞口１６以外の監視場所である主基板ボックス８１（監視場所１）、払出制御基板ボックス８２（監視場所２）、センターカバー８０（監視場所３）、本体枠１１０と機枠１１２（監視場所４）、前面枠１１１と本体枠１１０（監視場所５）についての監視が行われ、どの監視場所の監視処理を行うのかの情報は監視場所を示す番号を用いて監視基本処理から指示される。
【００６３】
まず、監視基本処理から指示されている監視場所の監視用アンテナ６８から呼出波が送信される（Ｓ４１）。そして、監視用ＩＣタグ８６から反射波の返送があるか否かの判断が行われる（Ｓ４２）。反射波の返送がない場合には（Ｓ４２：ＮＯ）、応答エラーが発生している。しかし、既に応答エラーが発生して、応答エラーフラグが「ＯＮ」となっている場合には、既に応答エラー発生の監視情報は記憶されているので、監視情報の記憶は行われない。そこで、応答エラーフラグが「ＯＮ」となっているか否かの判断が行われる（Ｓ４３）。「ＯＮ」となっている場合（Ｓ４３：ＹＥＳ）、そのまま処理を終了して、監視基本処理へ戻る。「ＯＮ」となっていない場合（Ｓ４３：ＮＯ）には、当該監視場所の応答エラーフラグに「１」が記憶され「ＯＮ」となり（Ｓ４４）、通信状態フラグに「０」が記憶され「ＯＦＦ」となる（Ｓ４５）。そして、現在処理を行っている監視場所の開始フラグが「ＯＮ」となっているか否かの判断が行われる（Ｓ４６）。「ＯＮ」となっていない場合には（Ｓ４６：ＮＯ）、まだ監視が開始されていないので、監視情報は記憶されず、そのまま処理を終了して、監視基本処理へ戻る。
【００６４】
開始フラグが「ＯＮ」となっている場合には（Ｓ４６：ＹＥＳ）、監視が開始されているので、Ｒ／Ｗ基板３１のＥＥＰＲＯＭ３５の最新監視情報記憶エリア３５１及びＲＡＭ３４の履歴監視情報記憶エリア３４１に監視情報が記憶される（Ｓ４７）。具体的には、最新監視情報記憶エリア３５１の当該監視場所のエリアがクリアされ、現在の日付及び時刻が発生日付及び発生時刻として記憶され、ＩＤエラーに応答エラーを示す「０」が記憶される。そして、履歴監視情報記憶エリア３４１には、時刻に現在の時刻、監視場所に当該監視場所の番号、状態に発生を示す「１」、ＩＤエラーに応答エラーを示す「０」のデータが新しく追加記憶される。そして、島管理端末１００へ応答エラー発生を示すデータが送信され（Ｓ４８）、処理を終了して、監視基本処理へ戻る。
【００６５】
また、監視用ＩＣタグ８６から反射波の返送があった場合には（Ｓ４２：ＹＥＳ）、反射波に含まれているＩＤコードが予め登録されているものと一致しているか否かの判断が行われる（Ｓ４９）。尚、各監視場所に備えられている監視用ＩＣタグ８６のＩＤコードは、Ｒ／Ｗ基板３１のＥＥＰＲＯＭ８６３に記憶されている。ＩＤコードが一致していない場合には（Ｓ４９：ＮＯ）、ＩＤエラーが発生している。しかし、既にＩＤエラーが発生して、ＩＤエラーフラグが「ＯＮ」となっている場合には、既にＩＤエラー発生の監視情報は記憶されているので、監視情報の記憶は行わない。そこで、ＩＤエラーフラグが「ＯＮ」となっているか否かの判断が行われる（Ｓ５０）。「ＯＮ」となっている場合（Ｓ５０：ＹＥＳ）、監視情報は記憶されないので、そのまま処理を終了して、監視基本処理へ戻る。「ＯＮ」となっていない場合（Ｓ５０：ＮＯ）、当該監視場所のＩＤエラーフラグに「１」が記憶され「ＯＮ」とされ（Ｓ５１）、通信状態フラグに「０」が記憶され「ＯＦＦ」とされる（Ｓ５２）。そして、現在処理を行っている監視場所の開始フラグが「ＯＮ」となっているか否かの判断が行われる（Ｓ５３）。「ＯＮ」となっていない場合には（Ｓ５３：ＮＯ）、まだ監視が開始されていないので、監視情報は記憶されず、そのまま処理を終了して、監視基本処理へ戻る。
【００６６】
開始フラグが「ＯＮ」となっている場合には（Ｓ５３：ＹＥＳ）、監視が開始されているので最新監視情報記憶エリア３５１及び履歴監視情報記憶エリア３４１に監視情報が記憶される（Ｓ５４）。具体的には、最新監視情報記憶エリア３５１の当該監視場所のエリアがクリアされ、現在の日付及び時刻が発生日付及び発生時刻として記憶され、ＩＤエラーにＩＤエラーを示す「１」が記憶される。そして、履歴監視情報記憶エリア３４１には、時刻に現在の時刻、監視場所に当該監視場所の番号、状態に発生を示す「１」、ＩＤエラーにＩＤエラーを示す「１」のデータが新しく追加記憶される。そして、島管理端末１００へＩＤエラー発生を示すデータが送信され（Ｓ５５）、処理を終了して、監視基本処理へ戻る。
【００６７】
また、反射波に含まれているＩＤコードと予め登録されているＩＤコードとが一致している場合には（Ｓ４９：ＹＥＳ）、監視用ＩＣタグ８６と正常に通信が行われており、監視用ＩＣタグ８６も不正なものではないということ、即ち当該監視場所は正常であるということになる。そこで、通信状態ＬＥＤ７６が点灯され（Ｓ５６）、通信状態フラグに「０」が記憶されて「ＯＮ」とされる（Ｓ５７）そして、応答エラーフラグ及びＩＤエラーフラグが「ＯＮ」であるかの確認が行われる。「ＯＮ」となっている場合には、エラーが発生しており、回復して、現在正常となっているので、各エラーフラグをクリアし、復帰したことを示す監視情報を記憶する必要がある。
【００６８】
そこで、まず、応答エラーフラグが「ＯＮ」であるか否かの判断が行われる（Ｓ５８）。応答エラーフラグが「ＯＮ」である場合には（Ｓ５８：ＹＥＳ）、当該監視場所の応答エラーフラグに「０」が記憶されて「ＯＦＦ」とされる（Ｓ５９）。そして、復帰を示す監視情報が記憶されるが、開始フラグが「ＯＮ」でなければ、まだ監視の指示が与えられていないので、監視情報の記憶は行われない。そこで、当該監視場所の開始フラグが「ＯＮ」であるか否かを判定する（Ｓ６０）。開始フラグが「ＯＮ」でない場合には（Ｓ６０：ＮＯ）、何もせずに終了して、監視基本処理へ戻る。
【００６９】
開始フラグが「ＯＮ」である場合には（Ｓ６０：ＹＥＳ）、最新監視情報記憶エリア３５１及び履歴監視情報記憶エリア３４１に監視情報が記憶され（Ｓ６１）、当該監視場所に設置されている監視用ＩＣタグ８６のＥＥＰＲＯＭ８６３の監視情報記憶エリア８６３１に監視情報が記憶される（Ｓ６２）。具体的には、最新監視情報記憶エリア３５１の当該監視場所のエリアがクリアされ、現在の日付及び時刻が復帰日付及び復帰時刻として記憶され、ＩＤエラーに応答エラーを示す「０」が記憶される。そして、履歴監視情報記憶エリア３４１には、時刻に現在の時刻、監視場所に当該監視場所の番号、状態に復帰を示す「２」、ＩＤエラーに応答エラーを示す「０」のデータが新しく追加記憶される。そして、監視情報記憶エリア８６３１には、最新監視情報記憶エリア３５１の当該監視場所に記憶されているデータと同じデータが記憶される。そして、島管理端末１００へ応答エラー復帰を示すデータが送信され（Ｓ６３）、処理を終了して、監視基本処理へ戻る。
【００７０】
また、応答エラーフラグが「ＯＮ」でない場合には（Ｓ５８：ＮＯ）、ＩＤエラーフラグが「ＯＮ」であるか否かの判断が行われる（Ｓ６４）。ＩＤエラーフラグが「ＯＮ」である場合には（Ｓ６４：ＹＥＳ）、当該監視場所のＩＤエラーフラグに「０」が記憶されて「ＯＦＦ」とされる（Ｓ６５）。そして、復帰を示す監視情報が記憶されるが、開始フラグが「ＯＮ」でなければ、まだ監視の指示が与えられていないので、監視情報の記憶は行わない。そこで、当該監視場所の開始フラグが「ＯＮ」であるか否かを判定する（Ｓ６６）。開始フラグが「ＯＮ」でない場合には（Ｓ６６：ＮＯ）、何もせずに終了して、監視基本処理へ戻る。
【００７１】
開始フラグが「ＯＮ」である場合には（Ｓ６６：ＹＥＳ）、最新監視情報記憶エリア３５１及び履歴監視情報記憶エリア３４１に監視情報が記憶され（Ｓ６７）、当該監視場所に設置されている監視用ＩＣタグ８６のＥＥＰＲＯＭ８６３の監視情報記憶エリア８６３１に監視情報が記憶される（Ｓ６８）。具体的には、最新監視情報記憶エリア３５１の当該監視場所のエリアがクリアされ、現在の日付及び時刻が復帰日付及び復帰時刻として記憶され、ＩＤエラーにＩＤエラーを示す「１」が記憶される。そして、履歴監視情報記憶エリア３４１には、時刻に現在の時刻、監視場所に当該監視場所の番号、状態に復帰を示す「２」、ＩＤエラーにＩＤエラーを示す「１」のデータが新しく追加記憶される。そして、監視情報記憶エリア８６３１には、最新監視情報記憶エリア３５１の当該監視場所に記憶されているデータと同じデータが記憶される。そして、島管理端末１００へＩＤエラー復帰を示すデータが送信され（Ｓ６９）、処理を終了して、監視基本処理へ戻る。
【００７２】
そして、ＩＤエラーフラグが「ＯＮ」でない場合には（Ｓ６４：ＮＯ）、前回の監視から引き続き正常であることを示しているので、そのまま処理を終了して、監視基本処理へ戻る。以上のようにして、監視場所１〜監視場所５の監視が行われる。
【００７３】
次に、図１７及び図１８のフローチャートを参照して、大入賞口１６の監視を行う大入賞口監視処理について説明する。ここでは、監視場所６である大入賞口１６の監視が行われる。大入賞口１６は、パチンコ機１で遊技者が遊技を行っている際に大当たり遊技状態となり、開放されることがある。つまり、パチンコ機１の遊技上の制御で開放されている場合には、ゴト行為等により開放されているのではないため、エラーとして監視情報を残す必要はない。また、不正のために前面枠１１１を開いて、大入賞口１６を開いた場合には、前面枠１１１に監視情報が記憶されているので、大入賞口１６にまで監視情報を残す必要はない。そこで、パチンコ機１の遊技上の制御により大入賞口１６が開放中である場合、監視場所５（前面枠１１１と本体枠１１０）に応答エラーが発生している場合には、異常とみなさないこととする。
【００７４】
まず、監視基本処理から指示されている監視場所の監視用アンテナ６８ｆから呼出波が送信される（Ｓ１０１）。そして、監視用ＩＣタグ８６ｆから反射波の返送があるか否かの判断が行われる（Ｓ１０２）。反射波の返送がない場合には（Ｓ１０２：ＮＯ）、応答エラーが発生している。しかし、パチンコ機１の遊技上の制御により大入賞口１６が開放中である場合には、不正により応答エラーが発生しているのではなく正規の開放であるので、パチンコ機１の遊技上の制御により大入賞口１６が開放中であるか否かの判断が行われる（Ｓ１０３）。この判断は、パチンコ機１のＣＰＵ５１から出力ポート５５、入力ポート３９を介してＲ／Ｗ基板３１のＣＰＵ３２へ送信されてくる信号により行われる。大入賞口１６の開放が開始された際には開放中信号が送信され、大入賞口１６が閉鎖された際には閉鎖中信号が送信される。大入賞口１６が開放中である場合には（Ｓ１０３：ＹＥＳ）、何もせずに処理を終了して、監視基本処理へ戻る。さらに、監視場所５（前面枠１１１と本体枠１１０）に応答エラーが発生している場合にも、異常とみなさないので、監視場所５の応答エラーフラグが「ＯＮ」である場合にも（Ｓ１０４：ＹＥＳ）、何もせずに処理を終了して、監視基本処理へ戻る。
【００７５】
監視場所５の応答エラーフラグが「ＯＮ」でない場合には（Ｓ１０４：ＮＯ）、大入賞口１６で不正な開放が行われている。そこで、既に応答エラーが発生して応答エラーフラグが「ＯＮ」となっているか否かの判断が行われる（Ｓ１０５）。「ＯＮ」となっている場合には（Ｓ１０５：ＹＥＳ）、そのまま処理を終了して、監視基本処理へ戻る。「ＯＮ」となっていない場合には（Ｓ１０５：ＮＯ）、当該監視場所の応答エラーフラグに「１」が記憶され「ＯＮ」とされ（Ｓ１０６）、通信状態フラグに「０」が記憶され「ＯＦＦ」とされる（Ｓ１０７）。そして、監視場所６の開始フラグが「ＯＮ」となっているか否かの判断が行われる（Ｓ１０８）。「ＯＮ」となっていない場合には（Ｓ１０８：ＮＯ）、まだ監視が開始されていないので、監視情報は記憶されず、そのまま処理を終了して、監視基本処理へ戻る。
【００７６】
開始フラグが「ＯＮ」となっている場合には（Ｓ１０８：ＹＥＳ）、監視が開始されているので、最新監視情報記憶エリア３５１及び履歴監視情報記憶エリア３４１に監視情報が記憶される（Ｓ１０９）。具体的には、最新監視情報記憶エリア３５１の当該監視場所のエリアがクリアされ、現在の日付及び時刻が発生日付及び発生時刻として記憶され、ＩＤエラーに応答エラーを示す「０」が記憶される。そして、履歴監視情報記憶エリア３４１には、時刻に現在の時刻、監視場所に当該監視場所の番号、状態に発生を示す「１」、ＩＤエラーに応答エラーを示す「０」のデータが新しく追加記憶される。そして、島管理端末１００へ応答エラー発生を示すデータが送信され（Ｓ１１０）、処理を終了して、監視基本処理へ戻る。
【００７７】
また、監視用ＩＣタグ８６ｆから反射波の返送があった場合には（Ｓ１０２：ＹＥＳ）、反射波に含まれているＩＤコードが予め登録されているものと一致しているか否かの判断が行われる（Ｓ１１１）。尚、各監視場所に備えられている監視用ＩＣタグ８６のＩＤコードは、Ｒ／Ｗ基板３１のＥＥＰＲＯＭ８６３に記憶されている。ＩＤコードが一致していない場合には（Ｓ１１１：ＮＯ）、ＩＤエラーが発生している。しかし、既にＩＤエラーが発生して、ＩＤエラーフラグが「ＯＮ」となっている場合には、既にＩＤエラー発生の監視情報は記憶されているので、監視情報の記憶は行われない。そこで、ＩＤエラーフラグが「ＯＮ」となっているか否かの判断が行われる（Ｓ１１２）。「ＯＮ」となっている場合（Ｓ１１２：ＹＥＳ）、監視情報は記憶されないので、そのまま処理を終了して、監視基本処理へ戻る。「ＯＮ」となっていない場合（Ｓ１１２：ＮＯ）、当該監視場所のＩＤエラーフラグに「１」が記憶され「ＯＮ」とされ（Ｓ１１３）、通信状態フラグに「０」が記憶され「ＯＦＦ」とされる（Ｓ１１４）。そして、現在処理を行っている監視場所の開始フラグが「ＯＮ」となっているか否かの判断が行われる（Ｓ１１５）。「ＯＮ」となっていない場合には（Ｓ１１５：ＮＯ）、まだ監視が開始されていないので、監視情報は記憶されず、そのまま処理を終了して、監視基本処理へ戻る。
【００７８】
開始フラグが「ＯＮ」となっている場合には（Ｓ１１５：ＹＥＳ）、監視が開始されているので最新監視情報記憶エリア３５１及び履歴監視情報記憶エリア３４１に監視情報が記憶される（Ｓ１１６）。具体的には、最新監視情報記憶エリア３５１の当該監視場所のエリアがクリアされ、現在の日付及び時刻が発生日付及び発生時刻として記憶され、ＩＤエラーにＩＤエラーを示す「１」が記憶される。そして、履歴監視情報記憶エリア３４１には、時刻に現在の時刻、監視場所に当該監視場所の番号、状態に発生を示す「１」、ＩＤエラーにＩＤエラーを示す「１」のデータが新しく追加記憶される。そして、島管理端末１００へＩＤエラー発生を示すデータが送信され（Ｓ１１７）、処理を終了して、監視基本処理へ戻る。
【００７９】
また、反射波に含まれているＩＤコードと予め登録されているＩＤコードとが一致している場合には（Ｓ１１１：ＹＥＳ）、監視用ＩＣタグ８６ｆと正常に通信が行われているということ、即ち、大入賞口１６は不正開放されてないということになる。そこで、監視場所６の通信状態ＬＥＤ７６ｆが点灯され（Ｓ１１８）、監視場所６の通信状態フラグに「１」が記憶されて「ＯＮ」とされる（Ｓ１１９）。そして、応答エラーフラグ及びＩＤエラーフラグが「ＯＮ」であるかを確認する。「ＯＮ」となっている場合には、エラーが発生しており、回復して、現在正常となっているので、各エラーフラグをクリアし、復帰したことを示す監視情報を記憶する必要がある。
【００８０】
そこで、応答エラーフラグが「ＯＮ」であるか否かの判断が行われる（Ｓ１２０）。応答エラーフラグが「ＯＮ」である場合には（Ｓ１２０：ＹＥＳ）、当該監視場所の応答エラーフラグに「０」が記憶されて「ＯＦＦ」とされる（Ｓ１２１）。そして、当該監視場所の開始フラグが「ＯＮ」であるか否かを判定する（Ｓ１２２）。開始フラグが「ＯＮ」でない場合には（Ｓ１２２：ＮＯ）、何もせずに終了して、監視基本処理へ戻る。開始フラグが「ＯＮ」である場合には（Ｓ１２２：ＹＥＳ）、最新監視情報記憶エリア３５１及び履歴監視情報記憶エリア３４１に監視情報が記憶され（Ｓ１２３）、当該監視場所に設置されている監視用ＩＣタグ８６ｆのＥＥＰＲＯＭ８６３ｆの監視情報記憶エリア８６３１に監視情報が記憶される（Ｓ１２４）。具体的には、最新監視情報記憶エリア３５１の当該監視場所のエリアがクリアされ、現在の日付及び時刻が復帰日付及び復帰時刻として記憶され、ＩＤエラーに応答エラーを示す「０」が記憶される。そして、履歴監視情報記憶エリア３４１には、時刻に現在の時刻、監視場所に当該監視場所の番号、状態に復帰を示す「２」、ＩＤエラーに応答エラーを示す「０」のデータが新しく追加記憶される。そして、監視情報記憶エリア８６３１には、最新監視情報記憶エリア３５１の当該監視場所に記憶されているデータと同じデータが記憶される。そして、島管理端末１００へ応答エラー復帰を示すデータが送信され（Ｓ１２５）、処理を終了して、監視基本処理へ戻る。
【００８１】
そして、応答エラーフラグが「ＯＮ」でない場合には（Ｓ１２０：ＮＯ）、ＩＤエラーフラグが「ＯＮ」であるか否かの判断が行われる（Ｓ１２６）。ＩＤエラーフラグが「ＯＮ」である場合には（Ｓ１２６：ＹＥＳ）、当該監視場所のＩＤエラーフラグに「０」が記憶されて「ＯＦＦ」とされる（Ｓ１２７）。そして、復帰を示す監視情報が記憶されるが、開始フラグが「ＯＮ」でなければ、まだ監視の指示が与えられていないので、監視情報の記憶は行われない。そこで、当該監視場所の開始フラグが「ＯＮ」であるか否かの判定が行われる（Ｓ１２８）。開始フラグが「ＯＮ」でない場合には（Ｓ１２８：ＮＯ）、何もせずに終了して、監視基本処理へ戻る。
【００８２】
開始フラグが「ＯＮ」である場合には（Ｓ１２８：ＹＥＳ）、最新監視情報記憶エリア３５１及び履歴監視情報記憶エリア３４１に監視情報が記憶され（Ｓ１２９）、当該監視場所に設置されている監視用ＩＣタグ８６のＥＥＰＲＯＭ８６３の監視情報記憶エリア８６３１に監視情報が記憶される（Ｓ１３０）。具体的には、最新監視情報記憶エリア３５１の当該監視場所のエリアがクリアされ、現在の日付及び時刻が復帰日付及び復帰時刻として記憶され、ＩＤエラーにＩＤエラーを示す「１」が記憶される。そして、履歴監視情報記憶エリア３４１には、時刻に現在の時刻、監視場所に当該監視場所の番号、状態に復帰を示す「２」、ＩＤエラーにＩＤエラーを示す「１」のデータが新しく追加記憶される。そして、監視情報記憶エリア８６３１には、最新監視情報記憶エリア３５１の当該監視場所に記憶されているデータと同じデータが記憶される。そして、島管理端末１００へＩＤエラー復帰を示すデータが送信され（Ｓ１３１）、処理を終了して、監視基本処理へ戻る。
【００８３】
そして、ＩＤエラーフラグが「ＯＮ」でない場合には（Ｓ１２６：ＮＯ）、前回の監視から引き続き正常であることを示しているので、そのまま処理を終了して、監視基本処理へ戻る。以上のようにして、監視場所６の監視が行われる。
【００８４】
このようにして、監視基本処理が繰り返されることにより、Ｒ／Ｗ基板３１から監視用ＩＣタグ８６ａ，監視用ＩＣタグ８６ｂ，監視用ＩＣタグ８６ｃ，監視用ＩＣタグ８６ｄ，監視用ＩＣタグ８６ｅ，監視用ＩＣタグ８６ｆへ呼出波を送信することにより、監視用ＩＣタグ８６ａ，監視用ＩＣタグ８６ｂ，監視用ＩＣタグ８６ｃ，監視用ＩＣタグ８６ｄ，監視用ＩＣタグ８６ｅ，監視用ＩＣタグ８６ｆの移動や取替えを監視することができる。
【００８５】
９．実施の形態と請求項との対比
尚、上記実施の形態では、ＲＦ回路３８が本発明の構成の「通信手段」に相当し、通信状態ＬＥＤ７６ａ，通信状態ＬＥＤ７６ｂ，通信状態ＬＥＤ７６ｃ，通信状態ＬＥＤ７６ｄ，通信状態ＬＥＤ７６ｅ，通信状態ＬＥＤ７６ｆが本発明の構成の「通信状態報知手段」に相当し、監視開始ＬＥＤ７７ａ，監視開始ＬＥＤ７７ｂ，監視開始ＬＥＤ７７ｃ，監視開始ＬＥＤ７７ｄ，監視開始ＬＥＤ７７ｅ，監視開始ＬＥＤ７７ｆが本発明の「記憶状態報知手段」に相当する。また、図１６に示す監視処理のフローチャートのＳ４２及びＳ４９、図１７に示す大入賞口監視処理のフローチャートのＳ１０２及び１１１の処理を実行するＣＰＵ３２が本発明の構成の「通信結果判断手段」に相当し、図１５に示す認証処理のフローチャートのＳ３１〜Ｓ３９の処理を実施するＣＰＵ３２が「記憶制御手段」に相当する。また、図１１に示すＲ／Ｗ基板３１のＥＥＰＲＯＭ３５の最新監視情報記憶エリア３５１、図１２に示すＲ／Ｗ基板３１のＲＡＭ３４の履歴監視情報記憶エリア３４１、図１３に示す監視用ＩＣタグ８６のＥＥＰＲＯＭ８６３の監視情報記憶エリア８６３１が「監視情報記憶手段」に相当する。図１０に示す鍵１２１及び図２に示す鍵穴１２０が「施錠装置」に相当する。
【００８６】
１０．実施の形態の効果
以上説明したように、上記の実施の形態の遊技機では、監視用ＩＣタグ８６ａ，監視用ＩＣタグ８６ｂ，監視用ＩＣタグ８６ｃ，監視用ＩＣタグ８６ｄ，監視用ＩＣタグ８６ｅ，監視用ＩＣタグ８６ｆによりパチンコ機１の主基板ボックス８１、払出制御基板ボックス８２、センターカバー８０、本体枠１１０と機枠１１２、前面枠１１１と本体枠１１０、大入賞口１６の開放を監視し、その監視情報をＲ／Ｗユニット３０、監視用ＩＣタグ８６に記憶することができる。また、Ｒ／Ｗユニット３０に記憶された監視情報は、遊技場内に設置された島管理端末１００へ送信される。そして、開始用ＩＣタグ１２６を備えた鍵１２１が鍵穴１２０に挿入されると、開始用アンテナ１２８から送信される呼出波に対応して、開始用ＩＣタグ１２６が反射波を返送することにより、その時点で監視用アンテナ６８と監視用ＩＣタグ８６とが正常に通信できている監視場所についての監視の開始、すなわち監視情報の記憶を開始することができる。
【００８７】
また、監視用ＩＣタグ８６が通信状態となっていない監視場所については、監視が開始されないので、監視用ＩＣタグ８６が設置されていない監視場所の監視情報を無駄に記憶することがない。さらに、監視場所により監視を開始させる時期を異ならせることができる。例えば、パチンコ機１の製造後、工場から出荷する段階では、監視場所１（主基板ボックス８１）と監視場所２払出制御基板ボックス８２）にのみ監視用ＩＣタグ８６ａ及び監視用ＩＣタグ８６ｂを設置して監視を開始させ、パチンコ機１の運搬中に主基板４１や払出制御基板４５が掏り返られたり、細工をされたりしていないかを監視することができる。そして、遊技場にパチンコ機１が設置された後に他の監視場所へ監視用ＩＣタグ８６ｃ〜８６ｆを設置して監視を開始させたりすることができる。
【００８８】
１１．変形例の説明
尚、本発明は、以上詳述した実施の形態に限定されるものではなく、種々の変更が可能である。以下に、本発明を適用する実施の形態の変形例について説明する。まず、本実施形態では所定の動作を行う装置として、遊技機の一種であるパチンコ機を例に挙げているが、所定の動作を行う装置は遊技機であるパチンコ機に限られず、パチコン機、パチスロ台等の各種の遊技機に適用可能である。さらに、遊技機に限らず、所定の動作を行って製品を製造する工作機械、所定の動作を行って商品を販売する自動販売機、所定の動作を行ってサービスを提供するサービス提供装置等にも適用可能である。
【００８９】
また、上記実施の形態では、移動を監視される被監視部材としてパチンコ機１の主基板ボックス８１、払出制御基板ボックス８２、センターカバー８０、本体枠１１０と機枠１１２、前面枠１１１と本体枠１１０、大入賞口１６を扱い、夫々一箇所に監視用ＩＣタグを設置したが、移動を監視される部材はこれに限らず、他の入賞口や普通図柄始動ゲートや各種基板に設置して、その開閉状態を監視してもよい。また、監視用ＩＣタグを設置する場所は各部材に一箇所である必要はなく、複数の位置に設置してもよい。さらに、装置がパチンコ機１でない場合にはもちろん、移動を監視される部材は上記実施の形態の部材に限らず、装置に備えられ、開閉が行われる開閉部材や装置を構成する構成部材であればよく、開閉部材の開閉や構成部材の所在を監視するために、１つ又は複数の監視用ＩＣタグを開閉部材や構成部材に設置して、その部材の移動を監視してもよい。
【００９０】
また、上記実施の形態では、開始用ＩＣタグ１２６を鍵１２１に埋め込ませたが、開始用ＩＣタグ１２６を備えた認証部材は必ずしも鍵１２１に埋め込まれている必要はなく、操作担当者の名札や身分証、制服、筆記用具等に埋め込まれていてもよく、また、認証部材として単独で存在していてもよく、形状もカード型のプラスチック板、指輪型、スティック型、布地への埋め込みなどでもよい。また、「通信状態報知手段」として通信状態ＬＥＤ７６ａ，通信状態ＬＥＤ７６ｂ，通信状態ＬＥＤ７６ｃ，通信状態ＬＥＤ７６ｄ，通信状態ＬＥＤ７６ｅ，通信状態ＬＥＤ７６ｆ、「記憶状態報知手段」として監視開始ＬＥＤ７７ａ，監視開始ＬＥＤ７７ｂ，監視開始ＬＥＤ７７ｃ，監視開始ＬＥＤ７７ｄ，監視開始ＬＥＤ７７ｅ，監視開始ＬＥＤ７７ｆを設けたが、これらの報知手段はＬＥＤに限らず、電飾ランプ等であってもよい。また、これらの報知手段は、Ｒ／Ｗユニット３０に設けたが、パチンコ機１の前面側に設けてもよい。
【００９１】
また、上記実施の形態では、開始用ＩＣタグ１２６を備えた鍵１２１が鍵穴１２０に挿入されると、開始用アンテナ１２８から送信される呼出波に反応して、開始用ＩＣタグ１２６が反射波を返送すると、各監視場所に対応した開始フラグがＯＮとなり、開始フラグがＯＮである場合に監視情報の記憶を行わせることにより、監視の開始を行っている。しかし、監視用ＩＣタグ８６から反射波が返送されてくるか否かの判断を行う前に、開始フラグがＯＮであるか否かの判断を行い、ＯＮである場合にのみ判断を行わせて、監視の開始を行ってもよい。この場合には、図１６におけるＳ４２、図１７におけるＳ１０２の前に開始フラグがＯＮであるか否かの判断を行う。
【００９２】
【発明の効果】
以上、説明したように、請求項１に係る発明の監視手段を備えた装置は、監視手段の通信手段は、電源が供給される間、ＩＣタグと非接触で通信を行い、通信結果判断手段は、通信手段による通信の通信結果が正常であるか否かを判断し、認証部材は、監視を開始させるための開始用ＩＣタグとしてＩＣタグを備え、装置から取り外し可能、携帯可能であり、監視情報記憶手段は、ＩＣタグの中、開始用ＩＣタグ以外のＩＣタグと通信を行い、通信結果判断手段により、正常でないと判断された場合に、通信結果に関する情報を監視情報として記憶し、記憶制御手段は、開始用ＩＣタグと通信を行い、通信結果判断手段により正常と判断さた場合に、監視情報記憶手段に監視情報を記憶可能な記憶可能状態とすることができる。したがって、認証部材を用いることにより、監視情報の記憶を開始させること、即ち監視を開始させることができる。
【００９３】
また、請求項２に係る発明の監視手段を備えた装置では、請求項１に記載の発明の効果に加えて、通信状態報知手段は、通信結果が正常である場合に、正常であることを報知することができる。したがって、監視場所に備えられたＩＣタグと正常に通信が行われているか、正常に通信が行われていないかを知ることができる。
【００９４】
また、請求項３に係る発明の監視手段を備えた装置では、請求項１又は２に記載の発明の効果に加えて、記憶状態報知手段は、記憶可能状態であることを報知することができる。したがって、記憶可能状態であるか、即ち通信結果が正常でない場合には、監視情報が記憶される状態であるかを知ることができる。
【００９５】
また、請求項４に係る発明の監視手段を備えた装置では、請求項１乃至３のいずれかに記載の発明の効果に加えて、通信結果に関する情報は、装置の状態の変化が発生した日付、時刻、通信結果及びＩＣタグが備えられている位置を特定する位置特定符号の少なくとも１つを含む履歴データを用いることができる。したがって、通信が正常でなくなった日付、時刻、監視場所を知ることができる。
【００９６】
また、請求項５に係る発明の監視手段を備えた装置では、請求項１乃至４のいずれかに記載の発明の効果に加えて、装置のＩＣタグが備えられている部材の存否を装置の状態として監視することができる。したがって、ＩＣタグが備えられている部材が取り外されたり、移動させられたりしたことを監視することができる。
【００９７】
また、請求項６に係る発明の監視手段を備えた装置では、請求項１乃至５のいずれかに記載の発明の効果に加えて、通信結果判断手段は、通信手段による通信が行えない場合、または、通信手段により通信を行った際に、通信が行われたＩＣタグの記憶している識別情報と通信を行う予定であったＩＣタグの識別情報とが異なっている場合に、正常でないと判断することができる。したがって、ＩＣタグが備えられた部材が通信を行えない場所まで取り外されたり、移動させられたりしたことや、ＩＣタグがすり替えられたこと、即ちＩＣタグが備えられている部材がすりかえられた場合に、正常でないと判断することができる。
【００９８】
また、請求項７に係る発明の監視手段を備えた装置では、請求項１乃至６のいずれかに記載の発明の効果に加えて、装置は遊技機を用いることができる。したがって、遊技機の部材の状態を監視することができる。具体的には、遊技機の制御を司る基板や基板を収納しているボックス、遊技者に遊技球を払い出す入賞口、遊技機の遊技領域を保護している扉等の移動、存否、不正を監視することができる。
【００９９】
また、請求項８に係る発明の装置では、請求項７に記載の発明の効果に加えて、遊技機の機枠は、遊技機を設置する遊技機設置台に遊技機を固定し、本体枠は、遊技機の本体を機枠に設置し、前面枠は、遊技球が流下する遊技領域を保護し、施錠装置は、鍵と錠とで構成され、機枠と本体枠、及び本体枠と前面枠とを施錠し、認証部材は鍵に備えることができる。したがって、装置である遊技機の開閉を行う鍵と認証部材とを共用することができるので、係員は多数の鍵を管理する必要がない。
【図面の簡単な説明】
【図１】図１は、本実施の形態の監視システムの構成図である。
【図２】図２は、パチンコ機１の前面枠１１１及び本体枠１１０を開いた状態をパチンコ機１の前面から見た斜視図である。
【図３】図３は、パチンコ機１の背面図である。
【図４】図４は、Ｒ／Ｗユニット３０の斜視図である。
【図５】図５は、パチンコ機１及びパチンコ機１に付属したＲ／Ｗユニット３０の電気的構成を示すブロック図である。
【図６】図６は、監視用ＩＣタグ８６ａ，監視用ＩＣタグ８６ｂ，監視用ＩＣタグ８６ｃ，監視用ＩＣタグ８６ｄ，監視用ＩＣタグ８６ｅ，監視用ＩＣタグ８６ｆの平面図である。
【図７】図７は、監視用ＩＣタグ８６ａ，監視用ＩＣタグ８６ｂ，監視用ＩＣタグ８６ｃ，監視用ＩＣタグ８６ｄ，監視用ＩＣタグ８６ｅ，監視用ＩＣタグ８６ｆの電気的回路構成を示すブロック図である。
【図８】図８は、主基板ボックス８１の斜視図である。
【図９】図９は、開閉扉１６ａが開放されている状態のアタッカ部材１６０の斜視図である。
【図１０】図１０は、鍵１２１の平面図である。
【図１１】図１１は、各監視場所の最新の監視情報が記憶されているＲ／Ｗ基板３１のＥＥＰＲＯＭ３５の最新監視情報記憶エリア３５１の概念図である。
【図１２】図１２は、１日分の監視情報が記憶されているＲ／Ｗ基板３１のＲＡＭ３４の履歴監視情報記憶エリア３４１の概念図である。
【図１３】図１３は、監視用ＩＣタグ８６のＥＥＰＲＯＭ８６３の監視情報記憶エリア８６３１の概念図である。
【図１４】図１４は、Ｒ／Ｗ基板３１のＣＰＵ３２で実施される監視基本処理のフローチャートである。
【図１５】図１５は、監視基本処理の中で行われる認証処理のフローチャートである。
【図１６】図１６は、監視基本処理の中で行われる大入賞口１６以外の監視場所の監視を行う監視処理のフローチャートである。
【図１７】図１７は、監視基本処理の中で行われる大入賞口１６の監視を行う大入賞口監視処理のフローチャートである。
【図１８】図１８は、監視基本処理の中で行われる大入賞口１６の監視を行う大入賞口監視処理のフローチャートの図１７の続きである。
【符号の説明】
１  パチンコ機
１６  大入賞口
３０  Ｒ／Ｗユニット
３１  Ｒ／Ｗ基板
３２  ＣＰＵ
３３  ＲＯＭ
３４  ＲＡＭ
３５  ＥＥＰＲＯＭ
３８  ＲＦ回路
６８ａ  監視用アンテナ
６８ｂ  監視用アンテナ
６８ｃ  監視用アンテナ
６８ｄ  監視用アンテナ
６８ｅ  監視用アンテナ
６８ｆ  監視用アンテナ
７６ａ  通信状態ＬＥＤ
７６ｂ  通信状態ＬＥＤ
７６ｃ  通信状態ＬＥＤ
７６ｄ  通信状態ＬＥＤ
７６ｅ  通信状態ＬＥＤ
７６ｆ  通信状態ＬＥＤ
７７ａ  通信状態ＬＥＤ
７７ｂ  監視開始ＬＥＤ
７７ｃ  監視開始ＬＥＤ
７７ｄ  監視開始ＬＥＤ
７７ｅ  監視開始ＬＥＤ
７７ｆ  監視開始ＬＥＤ
８０  センターカバー
８１  主基板ボックス
８２  払出制御基板ボックス
８６ａ  監視用ＩＣタグ
８６ｂ  監視用ＩＣタグ
８６ｃ  監視用ＩＣタグ
８６ｄ  監視用ＩＣタグ
８６ｅ  監視用ＩＣタグ
８６ｆ  監視用ＩＣタグ
１１０  本体枠
１１１  前面枠
１１２  機枠
１１３  本体
１２０  鍵穴
１２１  鍵
１２２  把持部
１２６  開始用ＩＣタグ
１２８  開始用アンテナ
３４１  履歴監視情報記憶エリア
３５１  最新監視情報記憶エリア
６８２  アンテナ
８６１  ＲＦ回路
８６２  アンテナ
８６３  ＥＥＰＲＯＭ
８６４  ＩＣチップ
８６３１  監視情報記憶エリア
【図１】
2004351018.tif 000003
【図２】
2004351018.tif 000004
【図３】
2004351018.tif 000005
【図４】
2004351018.tif 000006
【図５】
2004351018.tif 000007
【図６】
2004351018.tif 000008
【図７】
2004351018.tif 000009
【図８】
2004351018.tif 000010
【図９】
2004351018.tif 000011
【図１０】
2004351018.tif 000012
【図１１】
2004351018.tif 000013
【図１２】
2004351018.tif 000014
【図１３】
2004351018.tif 000015
【図１４】
2004351018.tif 000016
【図１５】
2004351018.tif 000017
【図１６】
2004351018.tif 000018
【図１７】
2004351018.tif 000019
【図１８】
2004351018.tif 000020